(57)【要約】      （修正有）【課題】電源スイッチのＯＦＦ、ＯＮでＬＥＤなどにより電源表示を行い、電源の電圧低下、音声信号入力回路の入力過大による過電流、音声増幅回路の故障あるいはスピーカの短絡による過電流の表示などができる低消費電力のパワーアンプあるいはパワーアンプ内蔵のスピーカを提供する。【解決手段】１次電池または２次電池または太陽電池と２次電池を併設した電池またはパソコンのＵＳＢを電源１として音声信号を増幅する１チャンネルまたは複数チャンネルの音声増幅回路５に直列にアナログ電流計３を設ける。このアナログ電流計を取付けたパネルに電源のＯＦＦ、ＯＮ、ＬＯＷ（電圧低下）、ＬＥＶＥＬ（レベル）、ＯＶＥＲ（過電流）表示をおこなうことでパイロットランプとレベルメータの動作を行う。【選択図】図１
2009272898.tif 000002
【特許請求の範囲】
【請求項１】
１次電池または２次電池または太陽電池と２次電池を併設した電池またはパソコンのＵＳＢを電源１とし音声信号を増幅する１チャンネルまたは複数チャンネルの音声増幅回路５に直列にアナログ電流計３を設けこのアナログ電流計を取付けたパネルに電源のＯＦＦ、ＯＮ、ＬＯＷ（電圧低下）、ＬＥＶＥＬ（レベル）、ＯＶＥＲ（過電流）表示を行う（図３）ことでパイロットランプとレベルメータの動作を行うことを特徴とするパワーアンプあるいはパワーアンプ内臓のスピーカ。
【請求項２】
請求項１において電源１及び各チャンネルの音声増幅回路３に直列に請求項１のアナログ電流計３を挿入したパワーアンプあるいはパワーアンプ内臓のスピーカ。（図２）
【請求項３】
請求項１において請求項１のアナログ電流計３の内部パネルにＯＦＦ、ＯＮ、ＬＯＷ（電圧低下）、ＬＥＶＥＬ（レベル）、ＯＶＥＲ（過電流）表示を行う（図４）ことでパイロットランプとレベルメータの動作を行うことを特徴とするパワーアンプあるいはパワーアンプ内臓のスピーカ。
【発明の詳細な説明】
【技術分野】
【０００１】
本発明は、低消費電力のパワーアンプあるいはパワーアンプ内臓のスピーカに関する。          
【背景技術】
【０００２】
従来、１次電池または２次電池または太陽電池と２次電池を併設した電池またはパソコンのＵＳＢを電源１とした低消費電力のオーディオ装置は電源のＯＦＦ、ＯＮを表示するパイロットランプ、音声入力レベルを表示するレベルメータを付けると操作確認と動作レベルの確認ができるがそれ自体が電力を消費するためより低消費電力なパイロットランプ、レベルメータが求められていた。
また、電源１の電圧低下、音声信号入力回路４の入力過大による過電流、音声増幅回路５の故障あるいはスピーカ６の短絡による過電流の確認も求められていた。
【０００３】
【特許文献１】特開２００４−１８４７２４
【０００４】
【特許文献２】特開平０８−３３０８５８
【発明の開示】
【発明が解決しようとする課題】
【０００５】
電源スイッチ２のＯＦＦ、ＯＮでＬＥＤなどにより電源表示を行うとＬＥＤに電流を流すため電力を消費する。同様に音声入力レベルを表示しようとしてＬＥＤなどによりレベルメータを付けても電力を消費する。以上の表示を行い低消費電力でオーディオ装置のデザインに合い、尚且つ電源１の電圧低下、音声信号入力回路４の入力過大による過電流、音声増幅回路５の故障あるいはスピーカ６の短絡による過電流の表示などができる低消費電力のパワーアンプあるいはパワーアンプ内臓のスピーカを提供することを目的とする。
【課題を解決するための手段】
【０００６】
１次電池または２次電池または太陽電池と２次電池を併設した電池またはパソコンのＵＳＢを電源１として音声信号を増幅する１チャンネルまたは複数チャンネルの音声増幅回路５に直列にアナログ電流計３を設ける。
【０００７】
このアナログ電流計を取付けたパネルに電源のＯＦＦ、ＯＮ、ＬＯＷ（電圧低下）、ＬＥＶＥＬ（レベル）、ＯＶＥＲ（過電流）表示を行うことでパイロットランプとレベルメータの動作を行う。（図３、図４）
【０００８】
電源スイッチ２がＯＦＦの場合アナログ電流計３の針の表示は０であるのでこの点をＯＦＦ表示とする。
【０００９】
電源スイッチ２がＯＮで無信号の場合、アナログ電流計３の針の表示は無信号時のほぼ一定のアイドリング電流を表示するのでこの点をＯＮ表示とする。
【００１０】
電源スイッチ２がＯＮで電源１の容量が低下の場合アナログ電流計３の針の表示はＯＦＦ表示とＯＮ表示の間にあるのでこの間をＬＯＷ（電圧低下）表示とする。
【００１１】
電源スイッチ２がＯＮで音声増幅回路５の故障やスピーカの短絡などでアナログ電流計３の針が最大に振れた場合をＯＶＥＲ（過電流）表示とする。
【００１２】
電源スイッチ２がＯＮでＣＤプレーヤなどから音声信号入力回路４へ音声信号を入力した場合、アナログ電流計３の針は入力レベルに応じてＯＮ表示とＯＶＥＲ（過電流）表示の間をこきざみに針が振れるのでレベル表示ができる。
【発明の効果】
【００１３】
アナログ電流計の外形はオーディオ再生装置のデザインに合い入力信号によるレベル表示はユーザーの目を楽しませてくれ、尚且つ電源１の電圧低下、ＣＤプレーヤなどから音声信号入力回路４へ音声信号の過大入力による過電流、音声増幅回路５の故障あるいはスピーカ６の短絡による過電流の表示などができる上に低消費電力である。
アナログ電流計の内部抵抗は負荷のスピーカの抵抗に比べて十分に小さいため音質に影響することはほとんどない。
アナログ電流計は内部抵抗が小さいためほとんど電力を消費しない。
【実施例】
【００１４】
図１でアナログ電流計３は１次電池の電源１から電源スイッチ２を介して音声増幅回路５に接続する。ＣＤプレーヤなどからプラグとジャックなどによるコネクタにより音声信号入力回路４へ音声信号を入力する。音声増幅回路５からはコネクタ、端子などによりスピーカ６と接続する。
電源スイッチ２がＯＦＦの場合、アナログ電流計３の針の表示は電流が流れないのでＯＦＦ点を表示している。
電源スイッチ２をＯＮした場合で、ＣＤプレーヤからの音声信号がない場合はアナログ電流計３の針の表示は無信号時のほぼ一定のアイドリング電流を表示するのでＯＮ点を表示する。
このときアナログ電流計３の針がＯＦＦ点のままであればスピーカ６の断線などが分かる。
また、アナログ電流計３の針が最大に振れた場合をＯＶＥＲ（過電流）表示をした場合は音声増幅回路５の故障やスピーカ６の短絡などが分かる。
電源スイッチ２がＯＮでＣＤプレーヤなどから音声信号入力回路４へ音声信号を入力し音声信号入力回路４の音声レベル調整が適切な場合、アナログ電流計３の針は入力レベルに応じてＯＮ表示とＯＶＥＲ（過電流）表示の間をこきざみに針が振れるのでレベル表示ができる。
図２は図１の回路構成でステレオ効果を出した実施形態である。
図５は、図１のオーディオアンプの第１実施形態を示す図である。
【００１５】
スピーカ・ボックス７に内蔵された電源１と音声増幅回路５とスピーカ・ボックス７の前面に取付けた電源スイッチ２とアナログ電流計３（図４）から構成される。
【図面の簡単な説明】
【００１６】
【図１】本発明の第１実施形態に係るオーディオ装置の構成を示す図
【図２】本発明の第２実施形態に係るオーディオ装置の構成を示す図
【図３】本発明に係る電流計３の取付けパネル表示例を示す図
【図４】本発明に係る電流計３の内部パネル表示例を示す図
【図５】図１のオーディオアンプの第１実施形態を示す図
【符号の説明】
【００１７】
1  電源
2  電源スイッチ
3  アナログ電流計
4  音声信号入力回路
5  音声増幅回路
6  スピーカ
7  スピーカ・ボックス
【図１】
2009272898.tif 000003
【図２】
2009272898.tif 000004
【図３】
2009272898.tif 000005
【図４】
2009272898.tif 000006
【図５】
2009272898.tif 000007